(57)【特許請求の範囲】
【請求項１】
略四辺形の底板部と、前記底板部の前方に連接した前板フラップと、前記底板部の後方に連接した後板部と、前記後板部を介して前記底板部と連接した天板部と、前記底板部の右方に連接した底板右フラップと、前記底板部の左方に連接した底板左フラップとを備えたブランクを折り曲げて形成される梱包箱であって、
前記天板部における、前記後板部と相対する側に連接した天板係止部と、
前記前板フラップに形成されて前記天板係止部と係止する前方係止部と、
前記天板部の右方に連接した天板右フラップと、
前記天板右フラップにおける、前記天板部と相対する側に連接した天板右係止部と、
前記底板部に形成されて前記天板右係止部と係止する底部右係止部と、
前記天板部の左方に連接した天板左フラップと、
前記天板左フラップにおける、前記天板部と相対する側に連接した天板左係止部と、
前記底板部に形成されて前記天板左係止部と係止する底部左係止部と、
前記天板部と前記後板部との境界領域となる前記天板部の後側上辺部から、前記天板部と前記天板右フラップとの境界領域となる前記天板部の右辺部にかけて形成されて、前記天板部を前記天板係止部側の領域と前記後板部側の領域とに分離することができる第１の引裂き線と、
前記天板部と前記後板部との境界領域となる前記天板部の後側上辺部から、前記天板部と前記天板左フラップとの境界領域となる前記天板部の左辺部にかけて形成されて、前記天板部を前記天板係止部側の領域と前記後板部側の領域とに分離することができる第２の引裂き線と、
前記天板部の右辺部の略全領域にわたって形成された第３の引裂き線と、
前記天板部の左辺部の略全領域にわたって形成された第４の引裂き線と、
前記底板右フラップが有する、前記底板部と連接する底板右内板と、
前記底板左フラップが有する、前記底板部と連接する底板左内板と、
前記底板右内板を介して前記底板部と連接し、前記底板部と前記底板右フラップとの境界領域となる前記底板部の右辺部と略等しい幅と、前記底板右フラップと前記底板左フラップとの間隔の略二分の一の長さを有する、前記底板右フラップの右上内板と、
前記底板左内板を介して前記底板部と連接し、前記底板部と前記底板左フラップとの境界領域となる前記底板部の左辺部と略等しい幅と、前記底板右フラップと前記底板左フラップとの間隔の略二分の一の長さを有する、前記底板左フラップの左上内板と
を備えたことを特徴とする梱包箱。
【請求項２】
請求項１に記載の梱包箱において、前記ブランクは、前記第１の引裂き線と前記第２の引裂き線との間で、かつ前記天板部の後側上辺部に形成された引裂き始点部を有することを特徴とする梱包箱。
【請求項３】
前記前板フラップは、前板部と、前記前板部を介して前記底板部と連接する前上内板を有することを特徴とする請求項１または２に記載の梱包箱。
【請求項４】
請求項１ないし３の何れかに記載の梱包箱において、
さらに、前記底板右内板の前方に連接する又は前記前板部の右方に連接する右前コーナー内板と、前記底板右内板の後方に連接する又は前記後板部の右方に連接する右後コーナー内板と、前記底板左内板の前方に連接する又は前記前板部の左方に連接する左前コーナー内板と、前記底板左内板の後方に連接する又は前記後板部の左方に連接する左後コーナー内板とを備えたことを特徴とする梱包箱。
【請求項５】
前記天板係止部が有する天板係止爪は前記前方係止部の前方係止スリットに係止し、
前記天板右係止部が有する右係止爪は前記底部右係止部の底部右側係止スリットに係止し、
前記天板左係止部が有する左係止爪は前記底部左係止部の底部左側係止スリットに係止しすることを特徴とする請求項１ないし４の何れかに記載の梱包箱。
【発明の詳細な説明】
【技術分野】
【０００１】
本発明は、ブランクを糊などで接着またはテープなどで貼着することなく、梱包箱の形成および蓋部の閉止が可能であり、また閉止後、道具を用いることなく手で開梱することができる梱包箱に関するものである。
【背景技術】
【０００２】
種々の物品を収容する梱包箱、たとえば配送または保管のための梱包箱は、４つの側面、天面および底面となる各板部を有する１枚のブランクを、折り目線に従って折ることで、梱包箱とするものが一般的である。こうした梱包箱では、隣接する板部同士を糊などで接着して、またはテープで貼着して、梱包箱が形成される（特許文献１〜５）。
【０００３】
梱包箱の閉止は、蓋部となる天面または側面の板部を糊などで接着して、またはテープで貼着して行われる一方、開梱は、梱包箱の天面および側面の一方または双方に形成されたミシン目を引裂くことで行われるものがある（特許文献３および４）。あるいは天面および底面に位置する板部をテープで貼着などして閉止し、開梱時にはこのテープを剥がすものもある（特許文献５）。
【０００４】
しかし上記各梱包箱は、物品の収容に際し、糊づけ、またはテープの貼着をしなければ梱包箱を形成することができない。そのため梱包箱の組み立て時における糊づけまたはテープの貼着作業、および糊などの材料費が発生する。特に梱包箱を配送あるいは郵送に用いる場合には、梱包箱の形成に加え閉止が確実で、痕跡を残さず開梱することが困難であり、収容物を外部から遮蔽することが求められ、各面の境界などに形成される隙間を塞ぐための糊づけ、またはテープの貼着が必要となる。
【０００５】
しかし糊づけまたはテープで貼着された梱包箱は、開梱時に糊またはテープを剥がさねばならず、カッターナイフなどの道具を必要とし開梱作業が容易でない。さらにリサイクルするときに、解体した梱包箱からテープを剥がさなければならないこともあり、開梱作業の煩雑化および作業コストの増加という問題がある。開梱が容易なミシン目を引裂くタイプの梱包箱においても、リサイクルにおけるテープの処理は同様の問題を生じさせる。上記の各問題は、梱包箱を物品保管などに用いる場合でも同様である。
【先行技術文献】
【特許文献】
【０００６】
【特許文献１】特開２０１０−０９５２６２号公報
【特許文献２】特開２００８−０７４４５８号公報
【特許文献３】特許第４８５２９２０号公報
【特許文献４】特許第４９３８４０２号公報
【特許文献５】特開２００４−１６８３５４号公報
【発明の概要】
【発明が解決しようとする課題】
【０００７】
そこで本発明は、糊づけ又はテープの貼着をすることなく確実に閉止することができ、梱包作業が容易で、ブランクを折り曲げた際にできる隙間を極力少なくでき（密閉性に優れ）、痕跡を残さず開梱することが困難であり、開梱に際しカッターナイフなどの道具を必要とせず手で開梱することができ、リサイクルも容易な梱包箱の実現を課題とした。
【課題を解決するための手段】
【０００８】
上記課題を解決するために、本発明に係る梱包箱は、該梱包箱を形成するためのブランクが、略四辺形の底板部と、底板部の前方に連接した前板フラップと、底板部の後方に連接した後板部および天板部と、底板部の右方に連接した底板右フラップと、底板部の左方に連接した底板左フラップとを備えている。
【０００９】
後板部を介して底板部と連接した天板部が有する天板係止部は、前板フラップに形成された前方係止部に係止する。天板部の右方に連接した天板右フラップが有する天板右係止部は、底板部に形成された底部右係止部に係止し、天板部の左方に連接した天板左フラップが有する天板左係止部は、底板部に形成された底部左係止部に係止する。
【００１０】
たとえば、天板係止部の天板係止爪を前方係止部の前方係止スリットに係止し、天板右係止部の右係止爪を底部右係止部の右側係止スリットに係止し、左側係止部の左係止爪を底部左係止部の左側係止スリットに係止する。
【００１１】
このように該梱包箱は、天板部が前板フラップに係止し、天板右フラップおよび天板左フラップが底板部に係止するから、糊づけなどをすることなく確実に閉止でき、しかも道具を用いず係止部を解除でき（該梱包箱を開梱でき）、剥がしたテープの処理なども不要でリサイクルが容易である。
【００１２】
しかもブランクを折り曲げて形成した該梱包箱では、後板部側（後ろ側）は底板部、後板部および天板部が連接して隙間がなく、該梱包箱の右側は底板右フラップと天板右フラップとで覆われて隙間がなく、該梱包箱の左側は底板左フラップと天板左フラップとで覆われて隙間がなく、さらに該梱包箱の前側は底板部と前板フラップとが連接して隙間がない。
【００１３】
前板フラップは、前板部と、この前板部を介して底板部と連接する前上内板を有していてもよい。そうすれば該梱包箱の形成に際し、前上内板が天板部の内側となるようにブランクを折り曲げることで、天板部の前板部側をより確実に塞ぐとともに、該梱包箱の前板部側における強度を高めることができる。
【００１４】
底板右フラップは、底板部と連接する底板右内板と、この底板右内板を介して底板部と連接する右上内板とを有し、また底板左フラップは、底板部と連接する底板左内板と、この底板左内板を介して底板部と連接する左上内板とを有している。そうすれば該梱包箱の形成に際し、底板右内板を天板右フラップの内側となるように、また底板左内板を天板左フラップの内側となるようにブランクを折り曲げることで、該梱包箱の左右側をより確実に塞ぐとともに、左右側における強度を高めることができる。
【００１５】
底板右フラップの前方に連接する又は前板部の右方に連接する右前コーナーフラップと、底板右フラップの後方に連接する又は後板部の右方に連接する右後コーナーフラップと、底板左フラップの前方に連接する又は前板部の左方に連接する左前コーナーフラップと、底板左フラップの後方に連接する又は後板部の左方に連接する左後コーナーフラップとを有していてもよい。そうすれば該梱包箱の形成に際し、各コーナーフラップを該梱包箱の内側となるようにブランクを折り曲げることで、該梱包箱の各コーナーをより確実に塞ぐとともに、各コーナー近傍における強度を高めることができる。
【００１６】
ブランクは、天板部、底板部、前板フラップ、後板部、天板右フラップまたは天板左フラップに形成された引裂き線を有してもよい。そうすればこれら線を引裂くことで該梱包箱を容易に開梱することができる。
【００１７】
ここで引裂き線を、天板部における右側部の近傍領域と、天板部における左側部の近傍領域と、天板部における右側部から前板フラップにかけた領域と、天板部における左側部から前板フラップにかけた領域とに形成してもよい。そうすれば引裂き線を引裂くことで、該梱包箱を天板部から容易に開梱することができる。
【００１８】
ブランクが引裂き線を引裂くための引裂き始点部を有していれば、引裂き始点に指をかけるなどして、該梱包箱をさらに容易に開梱することができる。かかる引裂き始点部は引裂き線と連続または近接して設けられていればよい。
【発明の効果】
【００１９】
上記構成を有する本発明に係る梱包箱は、糊づけ又はテープの貼着をすることなく確実に閉止することができ、ブランクを折り曲げて各係止部を容易に係止することができ梱包作業が容易であり、ブランクを折り曲げた際に隙間が生じることなく、開梱に際しカッターナイフなどの道具を必要とせず手で開梱することができ、リサイクルする際に梱包箱の解体が容易であることはもとより、各係止部の係止を痕跡を残さず解除することは困難だから内容物の秘匿性に優れている。
【図面の簡単な説明】
【００２０】
【図１】本発明に係る梱包箱の一実施例を形成するためのブランクの展開図である。
【図２】図１に示すブランクが備える天板係止部の概略平面構成図である。
【図３】図１に示すブランクが備える天板右係止部（同図（ａ））および天板左係止部（同図（ｂ））の概略平面構成図である。
【図４】図１に示すブランクが備える前方係止部の概略平面構成図である。
【図５】図１に示すブランクが備える底部右係止部（同図（ａ））および底部左係止部（同図（ｂ））の概略平面構成図である。
【図６】図１に示すブランクが備える引裂き線および引裂き始点部の概略平面構成図である。
【図７】図１に示すブランクの底板部に収容物（例えば書籍）を載置したときの斜視図である。
【図８】図１に示すブランクで収容物を梱包するときの底板右フラップ等の折り曲げを説明するための斜視図である。
【図９】図１に示すブランクで収容物を梱包するときの前板フラップ等の折り曲げを説明するための斜視図である。
【図１０】図１に示すブランクで収容物を梱包するときの後板部等の折り曲げを説明するための斜視図である。
【図１１】図１に示すブランクで収容物を梱包するときの天板部等の折り曲げを説明するための斜視図である。
【図１２】図１に示すブランクで収容物を梱包するときの天板右フラップの折り曲げ（同図（ａ））および天板右フラップの底板部への係止（同図（ｂ）および（ｃ））を説明するための斜視図である。
【図１３】図１に示すブランクで収容物を梱包した梱包箱の斜視図である。
【図１４】図１３に示す梱包箱を開梱した状態を示す斜視図である。
【発明を実施するための形態】
【００２１】
以下、図面を参照して本発明にかかる梱包箱について説明する。
【００２２】
＜＜ブランクの構成＞＞
本発明の一実施例にかかる梱包箱１Ａを、それを形成するためのブランク２Ａとともに説明する。図１に示す平面概略構成を有するブランク２Ａは、底板部１０、前板フラップ２０、後板部３０、天板部４０、底板右フラップ５０および底板左フラップ６０を有している。天板部４０はさらに天板右フラップ４５および天板左フラップ４６を有しており、底板部１０と天板部４０との間には後板部３０が介在している。
【００２３】
底板部１０は略長方形状をなしており、底板部１０の前辺部１０ａは底板部１０と前板フラップ２０との境界（折り目部）となっており、底板部１０の後辺部１０ｂは後板部３０との境界（折り目部）となっている。また底板部１０の右辺部１０ｃは底板右フラップ５０との境界（折り目部）となっており、底板部１０の左辺部１０ｄは底板左フラップ６０との境界（折り目部）となっている。ブランク２Ａは、例えば段ボール、厚紙などの素材で形成することができるが、これら素材に限定されない。
【００２４】
＜前板フラップ＞
前板フラップ２０は、前板部２１および前上内板２２（いずれも底板部１０の前辺部１０ａの長さと略等しい幅の略長方形状を有する）を備えており、前上内板２２は前板部２１を介して底板部１０と連接している。前上内板２２の長さは、底板部１０の長さ（底板部１０の右辺部１０ｃの長さ）の例えば４分の１ないし３分の１である。前板部２１と前上内板２２との境界（折り目部）は梱包箱１Ａの前外側上辺部２０ａとなる（前板部２１の高さは底板部１０の前辺部１０ａと前外側上辺部２０ａとの間隔に等しい。）。
【００２５】
＜底板右フラップおよび底板左フラップ＞
底板右フラップ５０は、底板右内板５１および右上内板５２（いずれも底板部１０の右辺部１０ｃの長さと略等しい幅の略長方形状を有する）を備えており、右上内板５２は底板右内板５１を介して底板部１０と連接している。右上内板５２の長さは、底板部１０の前辺部１０ａの長さの２分の１弱である。底板右内板５１と右上内板５２との境界（折り目部）は梱包箱１Ａの右内側上辺部５０ａとなる（底板右内板５１の高さは、底板部１０の右辺部１０ｃと底板右フラップ５０の右内側上辺部５０ａとの間隔に等しい。）。底板左フラップ６０は、底板左内板６１および左上内板６２を備えて、底板右フラップ５０と対照的に形成されている。
【００２６】
＜コーナー内板など＞
底板右フラップ５０は、底板右内板５１から前方（底板部１０の前辺部１０ａ側）に延出した右前コーナー内板５１１を有している。右前コーナー内板５１１は、高さが底板右内板５１の高さより若干低く、長さが例えば前板部２１の高さと同程度あるいは若干長い。底板右内板５１と右前コーナー内板５１１との境界は右前コーナー折り目部５１ａとなっている。
【００２７】
また底板右フラップ５０は、底板右内板５１から後方（底板部１０の後辺部１０ｂ側）に延出した右後コーナー内板５１２を有している。右後コーナー内板５１２は、高さが底板右内板５１の高さより若干低く、長さが例えば後板部３０の高さより若干短い。底板右内板５１と右後コーナー内板５１２との境界は右後コーナー折り目部５１ｂとなっている。
【００２８】
底板右フラップ５０と対照的に形成された底板左フラップ６０は、左前コーナー内板６１１、左前コーナー折り目部６１ａ、左後コーナー内板６１２および右後コーナー折り目部６１ｂを有している。
【００２９】
なお右前コーナー内板は底板右内板５１から前方に延出したものではなく、前板部２１から右側（底板部１０の右辺部１０ｃ側）に延出したものであってもよい。同様に右後コーナー内板は後板部３０から右側に延出したものであってもよく、左前コーナー内板は前板部２１から左側（底板部１０の左辺部１０ｄ側）に延出したものであってもよく、左後コーナー内板は後板部３０から左側に延出したものであってもよい。
【００３０】
＜天板部＞
後板部３０を介して底板部１０と連接している天板部４０は、底板部１０と略同一形状を有している。天板部４０は、天板部４０と後板部３０との境界（折り目部）は後側上辺部４０ａとなっており、後板部３０と相対する辺部は天板前辺部４０ｂとなっている。天板前辺部４０ｂの略中央部には、天板係止部４２０が形成されている。
【００３１】
天板部４０の右辺部４０ｃは天板右フラップ４５との境界（折り目部）となっており、天板部４０の左辺部４０ｄは天板左フラップ４６との境界（折り目部）となっている。後板部３０の高さは底板部１０の後辺部１０ｂと天板部４０の後側上辺部４０ａとの間隔に等しい。
【００３２】
＜天板右フラップおよび天板左フラップ＞
天板右フラップ４５は、天板右係止部４５０、右外板４５１および右下封止外板４５２を有しており、右下封止外板４５２は、右外板４５１を介して天板部４０と連接している。右下封止外板４５２における、右外板４５１と相対する側の辺部（天板右フラップ４５の右端辺部４５ｂ）の略中央には、天板右係止部４５０が配設されている。
【００３３】
右外板４５１および右下封止外板４５２は、いずれも底板部１０の右辺部１０ｃの長さと略等しい幅を有している。右下封止外板４５２の長さは、天板右係止部４５０が配設されている中央部において最も長く、中央部から離れるに従って短くなっている。右外板４５１と右下封止外板４５２との境界（折り目部）は梱包箱１Ａの右外側下辺部４５ａとなる。
【００３４】
天板右フラップ４５と対照的に形成されている天板左フラップ４６は、天板左係止部４６０、左外板４６１および左下封止外板４６２を有しており、左外板４６１と左下封止外板４６２との境界（折り目部）は梱包箱１Ａの左外側下辺部４６ａとなる。
【００３５】
＜天板係止部＞
天板係止部４２０は、後述する前方係止部２２０に係止することで梱包箱１Ａの天板部４０側を閉止するものであり、図１に示すように天板部４０の天板前辺部４０ｂの中央部において左右対称に形成されている。天板係止部４２０は、図２に示すように略長方形状を有する天板係止爪４２０ｔ、天板係止接続部４２０ｕ、および天板係止接続部４２０ｕの両側に形成された天板係止溝部４２０ｓを有しており、天板係止爪４２０ｔは天板係止接続部４２０ｕを介して天板部４０と連接している。
【００３６】
天板係止爪４２０ｔの幅（長手方向）は、例えば天板前辺部４０ｂの略２分の１であり、天板係止接続部４２０ｕの幅は、天板係止爪４２０ｔの幅より僅かに短い。天板係止爪４２０ｔは先端側の辺部両端側が丸みを帯びており、天板係止爪４２０ｔの長さ（短手方向長さ）は前板フラップ２０の前板部２１の高さ（短手方向長さ）よりも短い。天板係止溝部４２０ｓの溝幅（天板部４０と天板係止爪４２０ｔとの間隔）は、ブランク２Ａの厚さよりも若干長く、例えばブランク２Ａの厚さの２〜３倍である。
【００３７】
＜天板右係止部および天板左係止部＞
天板右フラップ４５が有する天板右係止部４５０は、後述する底部右係止部１５０に係止することで梱包箱１Ａの右側を閉止するものであり、図１および図３（ａ）に示すように天板右フラップ４５の右端辺部４５ｂの中央に配設されている。
【００３８】
天板右係止部４５０は、図３（ａ）に示すように右係止爪４５０ｔ、右係止接続部４５０ｕおよび右係止溝部４５０ｓ（２個所）を有しており、右係止爪４５０ｔは右係止接続部４５０ｕを介して右下封止外板４５２と連接している。天板右フラップ４５の右端辺部４５ｂは中間点近傍が図３（ａ）中において右に凸となっており、右係止爪４５０ｔの先端側（右端辺部４５ｂと相対する側）も右に凸となっている（右係止爪４５０ｔは略矢じり形状を有している。）。
【００３９】
右係止爪４５０ｔの幅（図３（ａ）中、上下方向の長さ）は、右係止接続部４５０ｕの幅より長くなっており、右係止接続部４５０ｕの両側に右係止溝部４５０ｓ（２個所）を形成している（１つの右係止溝部４５０ｓの長さは右係止爪４５０ｔの幅の例えば２割程度である。）。右係止爪４５０ｔの長さ（短手方向長さ）は、例えば天板係止爪４２０ｔの短手方向長さと同程度である。右係止溝部４５０ｓの溝幅（右下封止外板４５２と右係止爪４５０ｔとの間隔）は、例えば天板係止溝部４２０ｓの溝幅よりも広い（例えば数倍）。
【００４０】
天板左フラップ４６が有する天板左係止部４６０は、後述する底部左係止部１６０に係止することで梱包箱１Ａの左側を閉止するものであり、図３（ｂ）に示すように天板右係止部４５０と対称となるように、左係止爪４６０ｔ、左係止接続部４６０ｕおよび左係止溝部４６０ｓを備えて形成されている（天板右係止部４５０と対称に形成されているので説明を省略する。）。
【００４１】
＜前方係止部＞
図４に示すように前方係止部２２０は、前方係止スリット２２０ｓおよび前方係止切込み２２０ｔ（２個所）を有して天板係止部４２０とともに梱包箱１Ａの閉止を行うものであり、前板部２１と前上内板２２との境界である前外側上辺部２０ａの中央領域において左右対称に形成されている。
【００４２】
より詳細には、前方係止スリット２２０ｓは前板部２１および前上内板２２にかけて形成されており、前方係止スリット２２０ｓの長さは天板係止接続部４２０ｕの最大幅と略同一または僅かに長く、前方係止スリット２２０ｓの溝幅はブランク２Ａの厚さの例えば２〜３倍である。
【００４３】
前方係止切込み２２０ｔは、長さが略天板係止溝部４２０ｓの溝の長さと略等しく、例えば前上内板２２側に形成されている。前方係止部２２０とその両端に形成された前方係止切込み２２０ｔを含む前方係止部２２０の長さは、天板係止爪４２０ｔの最大幅と略同一または僅かに長い。
【００４４】
＜底部右係止部および底部左係止部＞
底部右係止部１５０は天板右係止部４５０とともに梱包箱１Ａの右側を閉止するものであり、ブランク２Ａでは底板部１０に形成されている。より詳細には、底部右係止部１５０は、図１に示すように底板部１０の前辺部１０ａと後辺部１０ｂとの中間の部位において、右辺部１０ｃよりも若干底板部１０の中央寄りの部位に、右辺部１０ｃと平行するように配設されている。
【００４５】
底部右係止部１５０は、図５（ａ）に示すように略三日月形状の底部右係止スリット１５０ｓ、および底部右係止スリット１５０ｓの両端側に形成された底部右係止切込み１５０ｔを有している。底部右係止スリット１５０ｓは、中央部が底板部１０の右辺部１０ｃに最も近く、溝幅は中央部で最も広く（例えば天板右係止部４５０が有する右係止接続部４５０ｕの長さと略等しい）両端で最も狭い。
【００４６】
底部右係止スリット１５０ｓの長さ（底板部１０の右辺部１０ｃと平行な方向の長さ）は、例えば天板右フラップ４５における右係止接続部４５０ｕの幅と略等しい。底部右係止スリット１５０ｓとその両端に形成された底部右係止切込み１５０ｔを含む長さ（底板部１０の右辺部１０ｃと平行な方向の長さ）は、天板右フラップ４５が有する天板右係止部４５０の最大幅と略同一または僅かに長い。
【００４７】
底部右係止切込み１５０ｔと底板部１０の右辺部１０ｃとの間隔は、天板右フラップ４５の右下封止外板４５２の長さ（天板右フラップ４５における右外側下辺部４５ａと右係止接続部４５０ｕとの間隔）と略等しい。
【００４８】
底部左係止部１６０は天板左係止部４６０とともに梱包箱を閉止するものであり、図１および図５（ｂ）に示すように、底板部１０の左辺部１０ｄに寄った部位において、底部右係止部１５０と対称となるように、底部左係止スリット１６０ｓおよび底部左係止切込み１６０ｔを備えて形成されている（底部右係止部１５０と対称に形成されているので説明を省略する。）。
【００４９】
＜引裂き線＞
図６に示すように、ブランク２Ａは、天板部４０に第１の引裂き線４１、第２の引裂き線４２、第３の引裂き線４３および第４の引き裂き線４４を備えており、これら第１〜第４の引き裂き線４１〜４４は例えばミシン目で形成されている。
【００５０】
第１の引裂き線４１は、天板部４０の後側上辺部４０ａの中間点よりも、若干右辺部４０ｃに寄った第１の引裂き始点４１ａから、天板部４０の右辺部４０ｃの略中間点となる第１の引裂き終点４１ｂにかけて形成されている。第２の引裂き線４２は、天板部４０の後側上辺部４０ａの中間点よりも、若干天板部４０の左辺部４０ｄに寄った第２の引裂き始点４２ａから、天板部４０の左辺部４０ｄの略中間点となる第２の引裂き終点４２ｂにかけて形成されている。
【００５１】
第３の引裂き線４３は、天板部４０の右辺部４０ｃの略全ての領域にかけて形成されており、第１の引裂き終点４１ｂにおいて第１の引裂き線４１と接している。第４の引裂き線４４は、天板部４０の左辺部４０ｄの略全ての領域にかけて形成されており、第２の引裂き終点４２ｂにおいて第２の引裂き線４２と接している。ブランク２Ａは、さらに第１の引裂き始点４１ａと第２の引裂き始点４２ａとの間に形成された引裂き始点部４７を備えており、引裂き始点部４７は例えば切込み線またはミシン目で形成されている。
【００５２】
第１〜第４の引き裂き線４１〜４４は、天板部４０を３つの部分に分割することを可能とする。すなわち、引裂き始点部４７、第１〜第４の引き裂き線４１〜４４および天板前辺部４０ｂで画される天板主部４０Ｍ、第１の引き裂き線４１、第３の引き裂き線４３および後側上辺部４０ａで画される略三角形状の天板右副部４０Ｒ、および第２の引き裂き線４２、第４の引き裂き線４４および後側上辺部４０ａで画される略三角形状の天板右副部４０Ｒの３つの部分である。
【００５３】
＜＜内容物の収容＞＞
次に書籍（例えばＡ５版の書籍）を１冊ずつ１つの梱包箱１Ａに収容する場合を例に、梱包作業について説明する。この場合、ブランク２Ａは平面に展開された状態で多数用意されていることが好ましい。なおこの収容例においては、ブランク２Ａは、底板部１０の形状がＡ５版よりも少なくとも若干広い必要がある。
【００５４】
＜ブランクへの収容物の載置＞
梱包作業者は、用意された複数のブランク２Ａから１つを取り出し、このブランク２Ａの底板部１０に書籍３Ａ（収容物）を載置する（図７）。
【００５５】
＜底板の右側および左側の折り曲げ＞
次に図８に示すように、底板右フラップ５０を底板部１０の右辺部１０ｃにおいて谷折りして（図８中、矢印Ｒ１）、底板右フラップ５０を底板部１０に対し略９０度とする。次に底板右内板５１と右上内板５２との境界（右内側上辺部５０ａ）を折り曲げて（図８中、矢印Ｒ２）、右上内板５２を書籍３Ａの上に位置づける。
【００５６】
さらに底板右フラップ５０の右前コーナー内板５１１を右前コーナー折り目部５１ａで書籍３Ａ側に折り曲げ、また右後コーナー内板５１２を右後コーナー折り目部５１ｂで書籍３Ａ側に折り曲げる。底板左フラップ６０の側についても、同様に折り曲げるとブランク２Ａは書籍３Ａを右側および左側から包み込んだ状態となる。なお各部の折り曲げは、上記手順に限定されない（最終的に右上内板５２および左上内板６２が書籍３Ａの上に位置づけられるように行われればよい。）。
【００５７】
＜前板側の折り曲げ＞
次に図９に示すように、前板フラップ２０を底板部１０の前辺部１０ａにおいて谷折りして（図９中、矢印Ｆ１）、前板部２１を底板部１０に対し略９０度とする。次に前板部２１と前上内板２２との境界（前外側上辺部２０ａ）を折り曲げて（図９中、矢印Ｆ２）、前上内板２２を右上内板５２および左上内板６２上に位置づけると、ブランク２Ａは書籍３Ａを右側、左側および前側から包み込んだ状態となる。なお各部の折り曲げは、上記手順に限定されない（最終的に前上内板２２が右上内板５２および左上内板６２上に位置づけられるように行われればよい。）。
【００５８】
＜後板側および天板部の折り曲げなど＞
次に図１０に示すように、後板部３０を底板部１０の後辺部１０ｂにおいて谷折りして（図１０中、矢印Ｂ１）、後板部３０を底板部１０に対し略９０度とする。次に図１１に示すように、天板部４０と後板部３０との境界（後側上辺部４０ａ）を折り曲げるとともに（図１１中、矢印Ｂ２）、天板部４０と天板係止部４２０との境界（天板係止接続部４２０ｕ近傍）を折り曲げる（図１１中、矢印Ｂ３）。
【００５９】
さらに天板係止部４２０の天板係止爪４２０ｔを前方係止部２２０に挿入すると、天板係止爪４２０ｔは、前方係止切込み２２０ｔの近傍領域を押し広げながら前方係止部２２０を通過する。天板係止爪４２０ｔが前方係止部２２０を通過し終わると、天板係止接続部４２０ｕが前方係止スリット２２０ｓ内に位置づけられる。
【００６０】
このとき前方係止切込み２２０ｔの近傍領域は弾性でもとに戻ろうとする結果、前方係止切込み２２０ｔは天板係止爪４２０ｔの抜け止めとして機能し、天板部４０は前上内板２２の上に位置づけられる（図１１）。前方係止切込み２２０ｔによって抜け止めされた天板係止爪４２０ｔを引き抜こうとすると、前方係止切込み２２０ｔは変形するから、痕跡を残さず天板係止部４２０と前方係止部２２０との係止を解除することは極めて困難である。
【００６１】
天板係止部４２０と前方係止部２２０との係止を行った状態においてブランク２Ａは、前後左右から書籍３Ａを包み込んだ状態となる。もちろん後板側および天板部の折り曲げは、上記手順に限定されない（最終的に天板係止部４２０と前方係止部２２０とが係止されるように行われればよい。）。
【００６２】
また、ブランク２Ａの底板部１０に書籍３Ａを載置してから天板係止部４２０と前方係止部２２０のとの係止に至るまでのブランク２Ａの折り曲げは、上述した手順に限定されない。例えば、底板右フラップ５０および底板左フラップ６０の折り曲げと前板フラップ２０の折り曲げとの順番を入れ替えることもできる。
【００６３】
＜天板右フラップおよび天板左フラップの折り曲げなど＞
次に天板右フラップ４５の折り曲げ、および天板右係止部４５０と底部右係止部１５０との係止について説明する。図１２（ａ）は、書籍３Ａを前後左右から包み込んだ状態のブランク２Ａ（図１１）において、さらに天板右フラップ４５を折り曲げて、天板右係止部４５０を底部右係止部１５０に係止させる手順（右側を二重に包み込む手順）を説明する図である（なお図１２（ａ）では、底板部１０を上側に記載してある。）。
【００６４】
先ず天板部４０の右辺部４０ｃ、および天板右フラップ４５の右下封止外板４５２と右外板４５１との境界（右外側下辺部４５ａとなる境界）を折り曲げて（図１２（ａ）中、矢印Ｒ３）、右下封止外板４５２を底板部１０の上に位置づけ、天板右フラップ４５の天板右係止部４５０を底板部１０の底部右係止部１５０に挿入する（図１２（ａ））。
【００６５】
すなわち天板右係止部４５０の右係止爪４５０ｔを底部右係止スリット１５０ｓに挿入すると、右係止爪４５０ｔは、底部右係止切込み１５０ｔの近傍領域を押し広げながら底部右係止スリット１５０ｓおよび底部右係止切込み１５０ｔを通過しようとする（図１２（ｂ））。
【００６６】
右係止爪４５０ｔが底部右係止スリット１５０ｓおよび底部右係止切込み１５０ｔを通過し終わると（図１２（ｃ））、右係止接続部４５０ｕが底部右係止スリット１５０ｓ内に位置づけられる。このとき底部右係止切込み１５０ｔの近傍領域は弾性でもとに戻ろうとする結果、底部右係止切込み１５０ｔは右係止爪４５０ｔの抜け止めとして機能する。底部右係止切込み１５０ｔによって抜け止めされた右係止爪４５０ｔを引き抜こうとすると、底部右係止切込み１５０ｔは変形するから、痕跡を残さず天板右係止部４５０と底部右係止部１５０との係止を解除することは極めて困難である。
【００６７】
同様に天板左フラップ４６の天板左係止部４６０を底部左係止部１６０に係止する。こうして天板右フラップ４５および天板左フラップ４６を折り曲げて、書籍３Ａを右側および左側から二重に包み込むことで、梱包箱１Ａの梱包作業は完了する。
【００６８】
＜梱包箱の密閉性など＞
梱包作業が完了した梱包箱１Ａ（図１３）では、後板部３０側（後ろ側）は、底板部１０、後板部３０および天板部４０が後辺部１０ｂおよび後側上辺部４０ａを折り目部として連接しており、隙間がない。梱包箱１Ａの底板右フラップ５０側（右側）は、底板右フラップ５０が書籍３Ａを覆ったうえで、さらに天板右フラップ４５が覆って隙間がない。梱包箱１Ａの底板左フラップ６０側（左側）は、底板左フラップ６０が書籍３Ａを覆ったうえで、さらに天板左フラップ４６が覆っており隙間がない。
【００６９】
梱包箱１Ａの前板フラップ２０側（前側）では、底板部１０、前板部２１および前上内板２２が連接しており隙間がなく、前上内板２２の上を天板部４０が覆っている。さらに底板右内板５１では、右前コーナー内板５１１は前板部２１の内側に折り込まれ、右後コーナー内板５１２も後板部３０の内側に折り込まれている。底板左内板６１では、左前コーナー内板６１１は前板部２１の内側に折り込まれ、左後コーナー内板６１２も後板部３０の内側に折り込まれている。
【００７０】
このように梱包箱１Ａは、１２の辺部のすべてが折り目部で形成され内容物の秘匿性（密閉性）に優れており、また強度的にも優れている。
【００７１】
＜＜梱包箱の開梱について＞＞
次に梱包箱１Ａの開梱について説明する。梱包作業が完了した梱包箱１Ａ（図１３）において、先ず引裂き始点部４７を、指先で把持する等して後側上辺部４０ａから切り離し、さらに天板部４０の第１の引裂き線４１を第１の引裂き始点４１ａから第１の引裂き終点４１ｂまで引裂くとともに、第２の引裂き線４２を第２の引裂き始点４２ａから第２の引裂き終点４２ｂまで引裂く。
【００７２】
さらに第３の引裂き線４３を第１の引裂き終点４１ｂから天板前辺部４０ｂまで引裂くとともに、第４の引裂き線４４を第２の引裂き終点４２ｂから天板前辺部４０ｂまで引裂く。そうすると天板主部４０Ｍは、天板係止部４２０の天板係止接続部４２０ｕを支軸部として展開することができる（図１４）。
【００７３】
さらに第３の引裂き線４３を第１の引裂き終点４１ｂから後側上辺部４０ａまで引裂くと図１４に示すように、後側上辺部４０ａを支軸部として天板右副部４０Ｒを展開することができる。同様に第４の引裂き線４４を第２の引裂き終点４２ｂから後側上辺部４０ａまで引裂くと図１４に示すように、後側上辺部４０ａを支軸部として天板左副部４０Ｌを展開することができる。
【００７４】
ここで第３の引裂き線４３を引裂くことで、天板右フラップ４５は天板部４０から切り離されて、梱包箱１Ａの右側において右外板４５１は右外側下辺部４５ａを支軸部として展開する（図１４）。梱包箱１Ａの左側では、第３の引裂き線４３を引裂くことで、左外板６５１が同様に展開する。
【００７５】
天板部４０側を展開したのち、さらに前板フラップ２０、底板右フラップ５０および底板左フラップ６０を展開することで、梱包箱１Ａを開梱して書籍３Ａを取出すことができる。すなわち梱包箱１Ａは、カッターナイフなどの道具を必要とせず手で開梱することができ、テープやホチキスの針などを取り除く必要がないからリサイクルも容易である。
【００７６】
なお本発明に係る梱包箱は、上記実施例おいて説明した梱包箱に限定されず、その趣旨を逸脱しない範囲で適宜変形して実施することができる。
【産業上の利用可能性】
【００７７】
本発明に係る梱包箱は、工業的に製造等することができるから、そして商取引の対象とすることができるから、本発明は産業上の利用可能性を有する発明である。
【符号の説明】
【００７８】
１Ａ  梱包箱
２Ａ  ブランク
１０  底板部
１５０  底部右係止部
１５０ｓ  底部右側係止スリット
１６０  底部左係止部
１６０ｓ  底部左側係止スリット
２０  前板フラップ
２２０  前方係止部
２２０ｓ  前方係止スリット
３０  後板部
４０  天板部
４１  第１の引裂き線
４２  第２の引裂き線
４３  第３の引裂き線
４４  第４の引裂き線
４５  天板右フラップ
４６  天板左フラップ
４７  引裂き始点部
４２０  天板係止部
４２０ｔ  天板係止爪
４５０  天板右係止部
４５０ｔ  天板右係止部の右係止爪
４６０  天板左係止部
４６０ｔ  天板左係止部の左係止爪
５０  底板右フラップ
５１  底板右内板
５２  右上内板
５１１  右前コーナー内板
５１２  右後コーナー内板
６０  底板左フラップ
６１  底板左内板
６２  左上内板
６１１  左前コーナー内板
６１２  左後コーナー内板
【要約】
【課題】糊づけ等することなく確実に閉止でき、梱包作業が容易で密閉性に優れ、痕跡を残さず開梱できず、手だけで開梱できリサイクルも容易な梱包箱を実現する。
【解決手段】梱包箱の構成を、略四辺形の底板部１０、底板部１０の前方に連接した前板フラップ２０、底板部１０の後方に連接した後板部３０および天板部４０、底板部１０の右方に連接した底板右フラップ５０、底板部１０の左方に連接した底板左フラップ６０を備え、天板部４０の天板係止部４２０を前板フラップ２０に形成された前方係止部２２０に係止でき、天板部１０の右方に連接した天板右フラップ４５の天板右係止部４５０を底板部１０に形成された底部右係止部１５０に係止でき、天板部１０の左方に連接した天板左フラップ４６の天板左係止部４６０を底板部１０に形成された底部左係止部１６０に係止できる構成とした。
【選択図】図１【図１】
0005746405.tif 000002
【図２】
0005746405.tif 000003
【図３】
0005746405.tif 000004
【図４】
0005746405.tif 000005
【図５】
0005746405.tif 000006
【図６】
0005746405.tif 000007
【図７】
0005746405.tif 000008
【図８】
0005746405.tif 000009
【図９】
0005746405.tif 000010
【図１０】
0005746405.tif 000011
【図１１】
0005746405.tif 000012
【図１２】
0005746405.tif 000013
【図１３】
0005746405.tif 000014
【図１４】
0005746405.tif 000015